(57)【要約】【課題】撮像装置において操作性を向上させる。【解決手段】撮像装置は、露出条件の異なる複数の画像を合成することで広いダイナミックレンジを有するＨＤＲ画像を生成可能であるが、シャッタ速度を指定するシャッタ速ダイヤル及び絞り値を指定する絞りダイヤルが共にオート位置に設定されていなければ、ＨＤＲ撮影処理が実行不可となる。それらがオート位置に設定されていない時にシャッタ操作が成されると、表示制御部は、それらをオート位置にすべきことを表示すると共に設定メニューへの移行方法を表示する（５２０）。この状態で決定ボタンが操作されると、ＨＤＲ撮影処理のＯＮ、ＯＦＦを切り替え可能な項目を含む設定メニュー（５１０）を表示する。【選択図】図８
2013219440.tif 000002
【特許請求の範囲】
【請求項１】
撮影を行う撮像部と、表示部と、操作入力部と、
前記表示部にて所定の第１表示が行われている第１表示状態において、前記操作入力部に所定のメニュー用操作が入力されたとき、撮影条件を設定するための複数のメニューの内の何れかを前記表示部に表示する第１制御部と、
前記操作入力部への所定操作の入力に応答して前記第１表示と異なる第２表示を前記表示部にて行い、前記第２表示が行われた第２表示状態において前記メニュー用操作と異なる特定操作が前記操作入力部に入力されたとき、前記複数のメニューの内の何れかを前記表示部に表示する第２制御部と、を備えた
ことを特徴とする撮像装置。
【請求項２】
前記撮影条件の設定状態に基づき、前記操作入力部を介して入力された指示を受理可能か否かを判断する判断部を更に備え、
前記第２制御部は、前記指示を受理不可であるとき前記表示部にて前記第２表示を行い、その後に前記特定操作が前記操作入力部に入力されたとき、前記複数のメニューに含まれる特定メニューを前記表示部に表示し、
前記特定メニューは、前記撮影条件を形成する複数の撮影パラメータの内、前記判断部が前記指示を受理可能か否かを判断する際に参照する撮影パラメータを変更するための項目を含む
ことを特徴とする請求項１に記載の撮像装置。
【請求項３】
前記第２表示は、前記表示部に前記特定メニューを表示させるための操作方法又は前記表示部に前記特定メニューを表示させるためのボタンの表示を含む
ことを特徴とする請求項２に記載の撮像装置。
【請求項４】
前記指示は、画像の撮影指示であり、
前記複数の撮影パラメータは、第１及び第２撮影パラメータを含み、
前記第１及び第２撮影パラメータの関係が所定関係にあるとき前記撮影指示を受理不可であることが予め規定されており、前記判断部は、その規定に従って前記判断を行う
ことを特徴とする請求項２又は請求項３に記載の撮像装置。
【請求項５】
前記第２制御部は、前記第１表示状態において前記メニュー用操作と異なる所定操作が前記操作入力部に入力されたとき前記表示部にて前記第２表示を行い、その後に前記特定操作が前記操作入力部に入力されたとき、前記複数のメニューに含まれる特定メニューを前記表示部に表示し、
前記第２表示は、前記撮影条件を形成する複数の撮影パラメータの表示を含み、
前記特定メニューは、前記複数の撮影パラメータの内の１以上の撮影パラメータを変更するための項目を含む
ことを特徴とする請求項１に記載の撮像装置。
【請求項６】
前記第２表示における前記複数の撮影パラメータは、一方が他方よりも優先される第１及び第２撮影パラメータを含み、
前記第２制御部は、前記第２表示において、前記第１及び第２撮影パラメータのどちらが優先されるのかを表示する
ことを特徴とする請求項５に記載の撮像装置。
【請求項７】
前記第１撮影パラメータは第１撮影処理の有効又は無効を示す一方で、前記第２撮影パラメータは第２撮影処理の有効又は無効を示し、
前記第１及び第２撮影パラメータによって前記第１及び第２撮影処理が共に有効とされているとき、前記第１及び第２撮影処理の一方のみを優先して機能させる撮影制御部を、当該撮像装置は更に備え、
前記第２制御部は、前記第１及び第２撮影パラメータによって前記第１及び第２撮影処理の共に有効とされているとき、前記第２表示において、前記第１及び第２撮影処理のどちらを優先するのかを示す
ことを特徴とする請求項６に記載の撮像装置。
【発明の詳細な説明】
【技術分野】
【０００１】
本発明は、デジタルスチルカメラ等の撮像装置に関する。
【背景技術】
【０００２】
表示部を備えた撮像装置において、一般的に、ユーザはメニューボタン等を押すことで設定用メニューを表示させ、そのメニューの中で撮影条件を形成する撮影パラメータを変更及び設定することができる。撮像装置の多機能化に伴い、設定可能な撮影パラメータは多数におよび、メニュー表示に階層構造が採用されることも多い。ユーザは、十字キー等を利用しつつ、必要に応じてメニュー表示を次々と変化させながら、多数の撮影パラメータの中から所望の撮影パラメータを探し出す。尚、下記特許文献１には、ステータスチェックキーの押圧に応答してカメラの各種設定状態を示すステータス表示を成す方法が開示されている。
【先行技術文献】
【特許文献】
【０００３】
【特許文献１】特開２００６−８０６３４号公報
【発明の概要】
【発明が解決しようとする課題】
【０００４】
上述したように、設定可能な撮影パラメータは多数存在することも多いが、特定表示（例えば、設定状態が不適切で撮影不能であることを警告する表示や、特定の撮影パラメータの表示）が成されるような条件下では、ユーザが設定変更を望む撮影パラメータは限定されることも多いと推測される。但し、従来では、そのような場合でも通常のメニュー用操作を介して多数の撮影パラメータの中から所望の撮影パラメータを探し出す必要があり、操作負担が重くなりがちである。操作性の向上が有益であることは言うまでも無い。
【０００５】
そこで本発明は、操作性の向上に寄与する撮像装置を提供することを目的とする。
【課題を解決するための手段】
【０００６】
本発明に係る撮像装置は、撮影を行う撮像部と、表示部と、操作入力部と、前記表示部にて所定の第１表示が行われている第１表示状態において、前記操作入力部に所定のメニュー用操作が入力されたとき、撮影条件を設定するための複数のメニューの内の何れかを前記表示部に表示する第１制御部と、前記操作入力部への所定操作の入力に応答して前記第１表示と異なる第２表示を前記表示部にて行い、前記第２表示が行われた第２表示状態において前記メニュー用操作と異なる特定操作が前記操作入力部に入力されたとき、前記複数のメニューの内の何れかを前記表示部に表示する第２制御部と、を備えたことを特徴とする。
【０００７】
第１制御部とは別に第２制御部を設け、メニュー用操作を介した経路と異なる経路にてメニュー表示を可能にしておく。これにより、煩雑になりうるメニュー用操作を行うことなく、ユーザ所望の撮影条件設定を成すことが可能となる。
【０００８】
具体的には例えば、前記撮影条件の設定状態に基づき、前記操作入力部を介して入力された指示を受理可能か否かを判断する判断部を、当該撮像装置に更に設けておくと良い。そして例えば、前記第２制御部は、前記指示を受理不可であるとき前記表示部にて前記第２表示を行い、その後に前記特定操作が前記操作入力部に入力されたとき、前記複数のメニューに含まれる特定メニューを前記表示部に表示する。前記特定メニューは、前記撮影条件を形成する複数の撮影パラメータの内、前記判断部が前記指示を受理可能か否かを判断する際に参照する撮影パラメータを変更するための項目を含んでいても良い。
【０００９】
これにより、ユーザは、煩雑になりうるメニュー用操作を行うことなく、指示の受理不可の原因を素早く取り除くことが可能となる。
【００１０】
また具体的には例えば、前記第２表示は、前記表示部に前記特定メニューを表示させるための操作方法又は前記表示部に前記特定メニューを表示させるためのボタンの表示を含む。
【００１１】
これにより、ユーザは、容易に特定メニューを表示させることが可能となる。
【００１２】
また例えば、前記指示は、画像の撮影指示であり、前記複数の撮影パラメータは、第１及び第２撮影パラメータを含み、前記第１及び第２撮影パラメータの関係が所定関係にあるとき前記撮影指示を受理不可であることが予め規定されており、前記判断部は、その規定に従って前記判断を行う。
【００１３】
また例えば、前記第２制御部は、前記第１表示状態において前記メニュー用操作と異なる所定操作が前記操作入力部に入力されたとき前記表示部にて前記第２表示を行い、その後に前記特定操作が前記操作入力部に入力されたとき、前記複数のメニューに含まれる特定メニューを前記表示部に表示し、前記第２表示は、前記撮影条件を形成する複数の撮影パラメータの表示を含み、前記特定メニューは、前記複数の撮影パラメータの内の１以上の撮影パラメータを変更するための項目を含む。
【００１４】
ユーザは第２表示を見ることで複数の撮影パラメータの設定状態を容易に確認することができる。この確認を経て、何れかの撮影パラメータの設定変更を希望する場合、ユーザは特定操作を成せばよい。これにより、煩雑になりうるメニュー用操作を行うことなく、所望の撮影パラメータの設定変更が可能となる。
【００１５】
また例えば、前記第２表示における前記複数の撮影パラメータは、一方が他方よりも優先される第１及び第２撮影パラメータを含み、前記第２制御部は、前記第２表示において、前記第１及び第２撮影パラメータのどちらが優先されるのかを表示する。
【００１６】
これにより、ユーザは、第１及び第２撮影パラメータ間の優先関係を容易に認識することができる。
【００１７】
具体的には例えば、前記第１撮影パラメータは第１撮影処理の有効又は無効を示す一方で、前記第２撮影パラメータは第２撮影処理の有効又は無効を示す。前記第１及び第２撮影パラメータによって前記第１及び第２撮影処理が共に有効とされているとき、前記第１及び第２撮影処理の一方のみを優先して機能させる撮影制御部を、当該撮像装置に設けておいても良い。そして例えば、前記第２制御部は、前記第１及び第２撮影パラメータによって前記第１及び第２撮影処理の共に有効とされているとき、前記第２表示において、前記第１及び第２撮影処理のどちらを優先するのかを示す。
【発明の効果】
【００１８】
本発明によれば、操作性の向上に寄与する撮像装置を提供することが可能である。
【図面の簡単な説明】
【００１９】
【図１】本発明の実施形態に係る撮像装置の概略全体ブロック図である。
【図２】本発明の実施形態に係る撮像部の内部構成図である。
【図３】本発明の実施形態に係る撮像装置の外観斜視図である。
【図４】本発明の実施形態に係る操作部の構成ブロック図である。
【図５】メニュー用操作に伴う表示内容の変遷の様子を示す図である。
【図６】ＨＤＲ撮影処理を説明するための図である。
【図７】ブラケット撮影処理で得られる複数の静止画像を示す図である。
【図８】本発明の第１実施例に係る表示内容の変遷の様子を示す図である。
【図９】本発明の第１実施例に係り、表示可能なメッセージを示す図である。
【図１０】本発明の第２実施例に係る撮像装置の動作フローチャートである。
【図１１】本発明の第２実施例に係る撮像装置の動作フローチャートである。
【図１２】本発明の第２実施例に係る撮像装置の動作フローチャートである。
【図１３】本発明の第２実施例に係る撮像装置の動作フローチャートである。
【図１４】本発明の第２実施例に係る撮像装置の動作フローチャートである。
【図１５】本発明の第３実施例に係る表示内容を示す図である。
【図１６】本発明の第４実施例に係るメニューを示す図である。
【図１７】本発明の第４実施例に係る表示内容を示す図である。
【図１８】本発明の第６実施例に係る主制御部の部分的なブロック図である。
【発明を実施するための形態】
【００２０】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００２１】
図１は、本発明の実施形態に係る撮像装置１の概略全体ブロック図である。撮像装置１は、静止画像を撮影及び記録可能なデジタルスチルカメラである。但し、撮像装置１は、静止画像及び動画像を撮影及び記録可能なデジタルビデオカメラであっても良い。撮像装置１は符号１１〜１７によって参照される各部位を備える。図２は、撮像部１１の内部構成図である。図３は、撮像装置１の外観斜視図である。図４は、操作部１７の構成ブロック図である。
【００２２】
撮像部１１は、光学系３５と、絞り３２と、ＣＣＤ（Charge Coupled Device）又はＣＭＯＳ（Complementary Metal Oxide Semiconductor）イメージセンサなどから成る撮像素子（固体撮像素子）３３と、光学系３５や絞り３２を駆動制御するためのドライバ３４と、を有している。光学系３５は、撮像部１１の画角を調節するためのズームレンズ３０及び焦点を合わせるためのフォーカスレンズ３１を含む複数枚のレンズから形成される。ズームレンズ３０及びフォーカスレンズ３１は光軸方向に移動可能である。主制御部１３からの制御信号に基づき、光学系３５内におけるズームレンズ３０及びフォーカスレンズ３１の位置並びに絞り３２の開度（即ち絞り値）が制御される。撮像素子３３は、水平及び垂直方向に複数の受光画素が配列されることによって形成される。撮像素子３３の各受光画素は、光学系３５及び絞り３２を介して入射した被写体の光学像を光電変換し、該光電変換によって得られた電気信号を、被写体の画像信号としてＡＦＥ１２（Analog Front End）に出力する。以下の説明において、撮影画像とは、撮像部１１を用いた撮影により得られた画像（即ち、撮像部１１の出力画像信号に基づく画像）を指し、撮影とは、撮像部１１を用いた撮影を指す。
【００２３】
ＡＦＥ１２は、撮像部１１（撮像素子３３）から出力されるアナログ信号を増幅し、増幅されたアナログ信号をデジタル信号に変換してから主制御部１３に出力する。ＡＦＥ１２における信号増幅の増幅度は主制御部１３によって制御される。
【００２４】
主制御部１３は、所定の信号処理を行う信号処理部５１、撮影に関する制御を行う撮影制御部５２及び表示部１５の表示に関する制御を行う表示制御部５３などを備え、撮像装置１内の各部位の動作を統括的に制御する。内部メモリ１４は、ＳＤＲＡＭ（Synchronous Dynamic Random Access Memory）等にて形成され、撮像装置１内で生成された各種データを一時的に記憶する。表示部１５は、液晶ディスプレイパネル等の表示画面を有する表示装置であり、表示制御部５３の制御の下、撮影画像や記録媒体１６に記録されている画像などを表示する。表示部１５にはタッチパネル１５ａが設けられており、ユーザは、表示部１５の表示画面を操作体（指やタッチペンなど）で触れることで撮像装置１に様々な指示を与えることができる。但し、タッチパネル１５ａを割愛することも可能である。本明細書において、表示及び表示画面とは、特に記述なき限り、表示部１５のそれらを指す。記録媒体１６は、カード状半導体メモリや磁気ディスク等の不揮発性メモリであり、主制御部１３の制御の下、撮影画像の画像信号等を記録する。
【００２５】
操作部１７は、図３及び図４に示す如く、シャッタボタン４１、情報表示ボタン４２、選択ボタン（十字キー等）４３、決定ボタン４４及びメニューボタン４５を含む複数のボタンと、シャッタ速度を指定するシャッタ速ダイヤル４８及び絞り３２の開度（即ち絞り値）を指定する絞りダイヤル４９等を備え、ユーザからの各種操作を受け付ける。操作部１７における各ボタンを押しボタンスイッチ等にて形成することができるが、それらをタッチパネル１５ａ上のボタンとして形成することも可能である。ダイヤル４８及び４９は機械式ダイヤルである。但し、ダイヤル４８及び４９はタッチパネル１５ａ上のダイヤル（映像上のダイヤル）であっても良い。以下では、主として操作部１７に様々な操作が入力されることを想定するが、任意の操作はタッチパネル１５ａに対する操作であっても良い。
【００２６】
ダイヤル４８及び４９に与えられた外力に応答して、ダイヤル４８の回転位置であるシャッタ速ダイヤル位置ＤＰSS及びダイヤル４９の回転位置である絞りダイヤル位置ＤＰAPは変化し、ダイヤル位置ＤＰSS及びＤＰAPの夫々はオート位置とマニュアル位置のどちらかをとる。ダイヤル位置ＤＰSSがマニュアル位置に属しているとき、撮影制御部５２は、ダイヤル位置ＤＰSSに対応するシャッタ速度にて撮影画像が取得されるようにシャッタ速度を制御する。制御されるシャッタ速度は、電子シャッタのシャッタ速度（即ち、撮影画像の画像信号を得る際の撮像素子３３の露光時間に依存する速度）であっても良いし、機械式シャッタのシャッタ速度（即ち、撮像素子３３及び被写体間に設けられうるシャッタ板の開口時間に依存する速度）であっても良い。ダイヤル位置ＤＰSSがオート位置であるとき、撮影制御部５２は、撮影条件の設定状態に応じ、自身で自由にシャッタ速度を設定する。ダイヤル位置ＤＰAPがマニュアル位置に属しているとき、撮影制御部５２は、ダイヤル位置ＤＰAPに対応する絞り値にて撮影画像が取得されるように絞り３２を制御する。ダイヤル位置ＤＰAPがオート位置であるとき、撮影制御部５２は、撮影条件の設定状態に応じ、自身で自由に絞り値を設定する。
【００２７】
ユーザは、シャッタボタン４１に対して２段階の押し込み操作が可能である。シャッタボタン４１に外力が加えられていない開放状態を起点として、シャッタボタン４１が軽く押しこまれるとシャッタボタン４１の状態は半押し状態となり、その後、更にシャッタボタン４１が押しこまれるとシャッタボタン４１の状態は全押し状態となる。シャッタボタン４１の状態を全押し状態にするための操作（以下、シャッタ操作という）が成されたとき、撮影制御部５２は対象画像を得るための撮影制御を行う。即ち、シャッタ操作は、対象画像の撮影指示に相当する。対象画像は、シャッタ操作に応答して得られるべき、撮像部１１の出力画像信号に基づく画像（撮影画像の一種）であり、撮影制御は、撮像部１１及び信号処理部５１に対する制御を含む。
【００２８】
撮影制御部５２は、対象画像の取得条件とも言うべき対象画像の撮影条件（以下、単に撮影条件ともいう）に応じた撮影制御を行う。撮影条件は複数の撮影パラメータから成り、操作部１７への入力操作に応答して、撮影制御部５２は各撮影パラメータを設定及び変更することができる。各撮影パラメータの設定及び変更は、メニュー表示が成されている状態において行われる。メニュー表示として複数のメニュー表示があり、表示制御部５３は、複数のメニュー表示の何れかを選択的に表示部１５に行わせることができる。
【００２９】
図５を参照して、表示内容の変遷及びメニュー表示の内容を説明する。撮像装置１が起動すると、表示部１５の表示状態は基準表示状態となり、基準表示状態において主制御部１３はライブビュー表示処理を成す。基準表示状態は撮影待機状態に相当する。ライブビュー表示処理では、所定のフレーム周期で順次撮像部１１による被写体の撮影が行われ、これによって順次得られる被写体の撮影画像がライブビュー画像として表示部１５に更新表示される。基準表示状態における表示部１５の表示を基準表示とも言う。基準表示状態において、ライブビュー画像と共に付加的情報（シャッタ速度、絞り値に依存するＦ値、撮像装置１を駆動するバッテリの残量など）を表示するようにしてもよい。尚、シャッタボタン４１の状態が開放状態であるときには、簡易的なＡＥ制御及びＡＦ制御が実行されたライブビュー画像が表示部１５に表示され、シャッタボタン４１の状態が半押し状態であるときには、厳格なＡＥ制御及びＡＦ制御が実行されたライブビュー画像が表示部１５に表示される。ＡＥ制御は、ライブビュー画像を含む撮影画像の露出条件を適正化する制御である。ＡＦ制御は、ライブビュー画像を含む撮影画像のフォーカス状態を適正化する制御である。
【００３０】
基準表示状態を基準として、操作部１７に所定のメニュー表示指示操作３１０が入力されたとき、表示制御部５３は、表示部１５にメインメニューを表示させ、メインメニューの表示が成されている状態において所定のメニュー切り替え操作３２０が操作部１７に入力されると、メインメニューに変えてサブメニューを表示部１５に表示させる。サブメニューは複数存在し、表示制御部５３は、操作３２０の具体的内容に応じて何れのサブメニューを表示するのかを決定する。メニューボタン４５の押下操作を操作３１０に相当させることができる。操作３２０は、例えば選択ボタン４３及び決定ボタン４４を用いて成される。メインメニュー及びサブメニューによってメニュー表示の階層構造が形成される。当該階層構造において、メインメニューはサブメニューの上位側に位置する。サブメニューの下位側に更なるメニューが存在していても良い。表示部１５におけるメインメニューの表示及びサブメニューの表示を、以下、それぞれメインメニュー表示及びサブメニュー表示と呼ぶ。
【００３１】
メインメニュー表示では、１以上の撮影パラメータの状態を示す１以上の項目が表示される。メインメニュー表示で表示されるべき全項目が一度に表示できない場合は、選択ボタン４３を用いた項目選択操作３３０に応答したスクロール処理を介して、時分割で全項目が表示される。図５の例では、メインメニュー表示にて示される項目に、連写処理の有効又は無効を示す項目３５１、手ぶれ補正処理の有効又は無効を示す項目３５２、ＨＤＲ撮影処理の有効又は無効を示す項目３５３、及び、シャープネス処理の強度を示す項目３５４が含まれている。連写処理の有効又は無効、手ぶれ補正処理の有効又は無効、ＨＤＲ撮影処理の有効又は無効、及び、シャープネス処理の強度は、互いに異なる４つの撮影パラメータに相当する。以下では、有効を“ＯＮ”と表現し、無効を“ＯＦＦ”と表現する。
【００３２】
メインメニューが表示されている状態において、ユーザは、項目選択操作３３０を介し、項目３５１〜３５４を含む複数の項目の中から所望の項目を選択し、選択ボタン４３及び決定ボタン４４を用いた設定変更操作３３２を介し、選択項目に対応する撮影パラメータの変更を指示することができる。この指示を受けて、撮影制御部５２が選択項目に対応する撮影パラメータを実際に変更する（例えば、ＨＤＲ撮影処理をＯＮからＯＦＦに或いはＨＤＲ撮影処理をＯＦＦからＯＮに変更する）。
【００３３】
各サブメニュー表示でも、メインメニュー表示と同様、１以上の撮影パラメータの状態を示す１以上の項目が表示される。例えば、サブメニューの１つであるサブメニュー３８０では、ブラケット撮影処理のＯＮ又はＯＦＦを示す項目３８１を含む１以上の項目が表示される。ブラケット撮影処理のＯＮ又はＯＦＦは、１つの撮影パラメータに相当する。サブメニュー３８０が表示されている状態において、項目３８１に対応する撮影パラメータを変更するための設定変更操作３３２が操作部１７に入力されたとき、撮影制御部５２は、項目３８１に対応する撮影パラメータを変更する（例えば、ブラケット撮影処理をＯＮからＯＦＦに或いはブラケット撮影処理をＯＦＦからＯＮに変更する）。
【００３４】
連写処理、ＨＤＲ撮影処理及びブラケット撮影処理が全てＯＦＦに設定されているときにおいて操作部１７にシャッタ操作が入力されたとき、撮影制御部５２は、１枚の静止画像を撮像部１１に撮影させる単写撮影処理を行う。連写処理がＯＮのとき連写撮影が可能となるが、ここでは連写撮影の存在を無視する。
【００３５】
ＨＤＲ撮影処理がＯＮに設定されている場合において操作部１７にシャッタ操作が入力されたとき、撮影制御部５２は、原則として、ＨＤＲ撮影処理を実行する。ＨＤＲ撮影処理の実行時において、撮影制御部５２は、図６に示す如く、露出条件を互いに異ならせた状態で複数の静止画像４１０［１］〜４１０［ＮA］を撮像部１１にて連続的に撮影させ、得られた複数の静止画像４１０［１］〜４１０［ＮA］に対してＨＤＲ信号処理を信号処理部５１に行わせる（ＮAは２以上の整数）。ＨＤＲ信号処理では、静止画像４１０［１］〜４１０［ＮA］を合成することで、静止画像４１０［１］〜４１０［ＮA］の夫々のダイナミックレンジよりも広いダイナミックレンジを有するＨＤＲ（High Dynamic Range）画像４１５を生成する。ＨＤＲ画像４１５の画像信号は記録媒体１６に記録される。
【００３６】
ブラケット撮影処理がＯＮに設定されている場合において操作部１７にシャッタ操作が入力されたとき、撮影制御部５２は、原則として、ブラケット撮影処理を実行する。ブラケット撮影処理の実行時において、撮影制御部５２は、図７に示す如く、複数の静止画像４２０［１］〜４２０［ＮB］を撮像部１１にて連続的に撮影させる（ＮBは２以上の整数）。静止画像４２０［１］〜４２０［ＮB］の画像信号は、信号処理部５１による所定信号処理を介し、ＮB枚の静止画像の画像信号として記録媒体１６に記録される。撮影制御部５２は、静止画像４２０［１］〜４２０［ＮB］間において、露出条件、フォーカス状態又はホワイトバランス状態などを互いに相違せしめる。
【００３７】
ＨＤＲ撮影処理の対象画像としてのＨＤＲ画像４１５（及び／又は静止画像４１０［１］〜４１０［ＮA］）と、ブラケット撮影処理の対象画像としての静止画像４２０［１］〜４２０［ＮB］は互いに異なるため、ＨＤＲ撮影処理とブラケット撮影処理が共にＯＮに設定されているとき、何れか一方を優先させる必要がある。本実施形態では、ＨＤＲ撮影処理がブラケット撮影処理よりも優先されるべきことが撮像装置１にて予め規定されているものとする。従って、ＨＤＲ撮影処理がＯＮに設定されている場合において操作部１７にシャッタ操作が入力されたとき、ブラケット撮影処理のＯＮ、ＯＦＦに依存せず、撮影制御部５２は、原則通りＨＤＲ撮影処理を実行する。一方、ＨＤＲ撮影処理がＯＦＦに設定され且つブラケット撮影処理がＯＮに設定されている場合において操作部１７にシャッタ操作が入力されたときは、撮影制御部５２は、原則通りブラケット撮影処理を実行するが、ＨＤＲ撮影処理がＯＮに設定されていたならばブラケット撮影処理がＯＮに設定されていてもブラケット撮影処理を実行しない。
【００３８】
露出条件は、シャッタ速度、絞り値及びＡＦＥ１２における信号増幅の増幅度を含む。ＨＤＲ撮影処理において、撮影制御部５２は、シャッタ速度及び絞り値の内の少なくとも一方を静止画像４１０［１］〜４１０［ＮA］間で相違させ、これによってＨＤＲ画像４１５の生成に必要な露出を実現する。このため、撮影制御部５２は、ＨＤＲ撮影処理がＯＮに設定されていても、ダイヤル位置ＤＰSS及びＤＰAPが共にオート位置でない限り、ＨＤＲ撮影処理を実行しない。
【００３９】
上述の内容を基本とする撮像装置１の具体的動作例などを、以下の複数の実施例の中で説明する。矛盾なき限り、以下に示す複数の実施例の内、任意の実施例にて記載した事項を、他の任意の実施例に適用することもできる。
【００４０】
＜＜第１実施例＞＞
第１実施例を説明する。図８を参照する。第１実施例では、ＨＤＲ撮影処理及びブラケット撮影処理が共にＯＮに設定されており、且つ、ダイヤル位置ＤＰSS及びＤＰAPの内の少なくとも一方がマニュアル位置に属していることを想定する。また、過去にＨＤＲ撮影処理がＯＮに設定されたが、現在、ユーザはＨＤＲ撮影処理の実行を望んでいないものとする（例えば、ＨＤＲ撮影処理をＯＦＦにすることを失念している状況を考える）。図８は、この想定下における表示内容の遷移図である。表示内容の遷移を含む表示内容の制御は、表示制御部５３にて行われる（後述の他の実施例でも同様）。図８には示されていないが、基準表示が成されている状態において、操作３１０及び３２０（図５）を含むメニュー用操作が成されたとき、上述したように、メインメニューの表示及びメインメニューの表示を介したサブメニューの表示が成される。メニュー用操作は項目選択操作３３０（図５参照）をも含みうる。以下に述べる任意の各メニューは、特に記述なき限り、基準表示が成されている状態においてメニュー用操作が操作部１７に入力されたときに、表示制御部５３の制御の下で選択的に表示される複数のメニューの１つである。但し、所定条件下では、メニュー用操作を介することなく何れかのメニューが表示される（詳細は後述）。
【００４１】
図８において、メニュー５１０は、ＨＤＲ撮影処理のＯＮ、ＯＦＦの設定変更を受け付けているときのメニュー（図５の例におけるメインメニューに相当）であり、故に、メニュー５１０は項目３５３（図５参照）を含む。以下では、メニュー５１０の表示をメニュー表示５１０とも言う。
【００４２】
上述したように基準表示状態は撮影待機状態に相当するため、基準表示状態においてシャッタ操作による対象画像の撮影指示が成されると、原則として対象画像の撮影が成される。しかし、上記想定の下では対象画像を撮影できない。故に、基準表示状態において、対象画像の撮影指示に相当するシャッタ操作が操作部１７に入力されたとき、表示制御部５３は、表示部１５の表示を基準表示からメッセージ５２１及び５２２の表示を含む警告表示５２０に切り替える。メッセージ５２１は、撮影指示を受理するために必要な操作を示し、例えば、メッセージ「シャッタ速及び絞りダイヤルをオート位置にして下さい。」を含む。或いは、図９に示すメッセージ５２１ａ、即ちメッセージ「ＨＤＲ撮影を行うためシャッタ速及び絞りダイヤルをオート位置にして下さい。或いは、ＨＤＲの設定をＯＦＦにしてください。」をメッセージ５２１に含めても良い。
【００４３】
メッセージ５２２は、表示部１５に特定のメニューを表示させるための操作方法を示す。ここでは、その操作方法は決定ボタン４４を押すことであるとする。そうすると、メッセージ５２２は、例えば、メッセージ「決定ボタンで設定メニューへ」を含む。警告表示５２０を成してから所定時間（例えば２秒）以内に決定ボタン４４の押下操作が成さたとき、表示制御部５３は、表示部１５の表示を警告表示５２０からメニュー表示５１０に切り替え、そうでなければ表示部１５の表示を警告表示５２０から基準表示に戻す。
【００４４】
表示部１５の表示が警告表示５２０からメニュー表示５１０に切り替えられると、ユーザは、単に設定変更操作３３２（図５参照）を行うだけで撮影指示の受理不可の原因を取り除くことができる。即ち、警告表示５２０が成されている状態で決定ボタン４４が押下されることより、メニュー用操作を成すことなく、メニュー表示５１０が成され、撮影指示の受理不可の原因となった撮影パラメータの設定変更が直ちに可能となる。ダイヤル４８及び４９が機械式ダイヤルである場合、警告表示５２０のメッセージを見たユーザはすぐにダイヤル４８及び４９の存在に気付く。従って、仮にユーザがＨＤＲ撮影処理の実行を望んでいるならば、それらのダイヤル位置をＨＤＲ撮影処理の実行可能な位置に容易に変更することができる。しかしながら、ユーザが意図せずＨＤＲ撮影処理をＯＮに設定してしまっていてＨＤＲ撮影処理の実行を望んでいない場合、通常は、メニュー用操作を用いて多数の項目の中からＨＤＲ撮影処理の設定用項目を探し出す必要がある。図５では、簡略化したメニューを図示しているが、実際には、設定可能な項目は多数におよぶため、そのような探索はユーザにとって負担が重いこともある。また、本実施形態では、ＨＤＲ撮影処理の設定用項目がメインメニューに存在していることを想定しているが、それがスクロール処理を経なければ表示されない場合やメニュー表示の階層構造の下位側にあるような場合には、上記探索が一層難しくなるおそれがある。これに鑑み、上述の如く、警告表示５２０からメニュー表示５１０への直接遷移を可能にしておく。これにより、ユーザは、複雑になりうるメニュー用操作を行うことなく、撮影指示の受理不可の原因を直ちに知ることができると共に、必要に応じて、その原因を容易に取り除くことができる。
【００４５】
一方、基準表示状態において、メニュー用操作と異なる所定の操作５７１（ステータス表示を要求する操作）が操作部１７に入力されたとき、表示制御部５３は、ステータス表示５３０を表示部１５に行わせる。操作５７１は任意であるが、ここでは、情報表示ボタン４２を連続して１秒間押し続ける操作が操作５７１に相当すると考える。ステータス表示５３０が成されている状態を起点として、メニュー用操作と異なる所定操作５７２が操作部１７に入力されたとき、表示制御部５３は、表示部１５の表示をステータス表示５３０からステータス表示５４０に切り替える。ステータス表示５３０を成してから所定時間（例えば２秒）以内に操作５７２が操作部１７に入力されなければ、表示制御部５３は、表示部１５の表示をステータス表示５３０から基準表示に切り替える。操作５７２は任意であるが、ここでは、情報表示ボタン４２を連続して１秒間押し続ける操作が操作５７２に相当すると考える。
【００４６】
ステータス表示５３０及び５４０の夫々は、撮影条件を形成する複数の撮影パラメータの設定状態の表示を含み、本例では特に、ＨＤＲ撮影処理の設定状態（ＯＮ、ＯＦＦの何れであるか）及びブラケット撮影処理の設定状態（ＯＮ、ＯＦＦの何れであるか）の表示を含むと共に、ＨＤＲ撮影処理とブラケット撮影処理の内、どちらが優先されるのかを示すマークＭＫPRの表示も含む。尚、ステータス表示５３０及び５４０において、複数の撮影パラメータの設定状態は、ライブビュー画像にスーパーインポーズされる形で表示されても良い（後述のステータス表示５５０についても同様）。また、ステータス表示５３０及び５４０において、上述の付加的情報（シャッタ速度など）が共に表示されても良い（後述のステータス表示５５０についても同様）。
【００４７】
ステータス表示５３０では、設定状態の単なる表示が成されるのに対し、ステータス表示５４０では、何れかの撮影パラメータの項目を選択するための選択項目枠ＳＥＬFが表示される。ユーザは選択ボタン４３を利用して選択項目枠ＳＥＬFを移動させ、所望の撮影パラメータの項目を選択することができる。その移動を経て、表示部１５の表示はステータス表示５４０からステータス表示５５０へ切り替わる。ステータス表示５５０では、選択項目枠ＳＥＬFによりＨＤＲ撮影処理の項目が選択されている。枠ＳＥＬFの位置が異なる点を除き、ステータス表示５５０はステータス表示５４０と同様である。尚、枠ＳＥＬFの表示の代わりに選択項目の反転表示などを行うようにしても良い。
【００４８】
ステータス表示５５０が成されている状態において、決定ボタン４４の押下操作が成されたとき、表示制御部５３は、上述したメニュー用操作を介することなく、表示部１５の表示をステータス表示５５０からメニュー表示５１０に切り替える。表示部１５の表示がメニュー表示５１０に切り替えられると、ユーザは、必要に応じ、単に設定変更操作３３２（図５参照）を行うだけでＨＤＲ撮影処理のＯＮ、ＯＦＦの設定を変更することができる。尚、表示５１０、５２０、５３０、５４０又は５５０が成されている状態において、所定の復帰操作（例えば、シャッタボタン４１を半押し状態にする操作）が操作部１７に入力されると、表示制御部５３は、表示部１５の表示を基準表示に切り替える。また、表示５１０が成されている状態おいて決定ボタン４４が押されたときも、基準表示に切り替えるようにしても良い。
【００４９】
例えば、ユーザは、ＨＤＲ撮影処理を過去にＯＮに設定して、それをＯＦＦにすることなく、今度はブラケット撮影処理の実行を希望する場合がある。このような場合にブラケット撮影処理をＯＮに設定してシャッタ操作を成しても、ＨＤＲ撮影処理が優先されている場合にはブラケット撮影による複数の静止画像は得られず、ユーザは、その理由を理解できないこともある。これは、ユーザにとって好ましくないことは言うまでもない。何れの撮影処理が優先されていて今現在シャッタ操作を成せばどの撮影処理が実行されるのかを簡便にユーザに知らせることができれば、ユーザにとってメリットが大きい。これに鑑み、撮像装置１では、情報表示ボタン４２の押下操作に応答したステータス表示において、マイクＭＫPRを用い、ＨＤＲ撮影処理とブラケット撮影処理のどちらか優先して実行されるのかを示す。これにより、ユーザは、それらの優先関係を容易に認識し、必要に応じて、それらのＯＮ、ＯＦＦを所望のものへと変更することが可能となる。尚、それらの優先関係をユーザが認識できる限り、それらの優先関係の提示方法はマイクＭＫPRの表示以外の任意の方法でもよい。
【００５０】
マイクＭＫPRを見たユーザは、メニュー用操作にて、図５に示すような手順によりＨＤＲ撮影処理やブラケット撮影処理のＯＮ、ＯＦＦ設定を成すこともできる。例えば、ブラケット撮影処理の実行を望むならば、ＨＤＲ撮影処理のＯＦＦにするべく、メニュー用操作を成すこともできる。しかしながら、メニュー用操作を用いて多数の項目の中からＨＤＲ撮影処理の設定用項目を探し出すことは、ユーザにとって負担が重いこともある。本実施形態では、ＨＤＲ撮影処理の設定用項目がメインメニューに存在していることを想定しているが、それがスクロール処理を経なければ表示されない場合やメニュー表示の階層構造の下位側にあるような場合には、上記探索が一層難しくなるおそれがある。これに鑑み、ステータス表示（５５０等）からメニュー表示への直接遷移を可能にしておく。これにより、ユーザは、複雑になりうるメニュー用操作を行うことなく、所望の撮影パラメータを変更するためのメニューを表示させることができ、例えば、ブラケット撮影処理の実現に必要なＨＤＲ撮影処理のＯＦＦを容易に達成することができる。
【００５１】
ステータス表示におけるＨＤＲ撮影処理に選択項目枠ＳＥＬFをあわせた状態で決定ボタン４４が押下されたならば、図８に示す如くメニュー５１０が表示されるが、仮に、ステータス表示におけるブラケット撮影処理に選択項目枠ＳＥＬFをあわせた状態で決定ボタン４４が押下されたならば、表示制御部５３の制御の下、図５のサブメニュー３８０が表示される。
【００５２】
＜＜第２実施例＞＞
第２実施例を説明する。第２実施例では、図１０〜図１４を参照し、第１実施例の動作を実現する具体的動作手順を例示する。図１０〜図１４を参照して以下に説明される各ステップの処理が撮像装置１にて実行される（但し、ボタンに対する操作の主体は、当然、ユーザである）。
【００５３】
まず、撮像装置１が起動すると、撮像装置１は撮影待機状態となってライブビュー表示処理を開始し、基準表示を成した状態で何らかの操作の入力を待つ。何らかの操作が操作部１７に入力されると主制御部１３は、入力された操作の情報を取得する（ステップＳ１）。撮像装置１は、入力された操作がシャッタボタン４１の押下操作であった場合（ステップＳ２のＹ）、ステップＳ３にて撮影制御処理を成し、入力された操作が情報表示ボタン４２の押下操作であった場合（ステップＳ４のＹ）、ステップＳ５にて撮影情報処理を成し、入力された操作が撮像装置１の電源をオフにする操作であった場合（ステップＳ６のＹ）、撮像装置１の動作を終了し、入力された操作がそれら以外であった場合、対応する他の処理を成す（ステップＳ７）。
【００５４】
シャッタ操作の入力に応答したステップＳ３の撮影制御処理において、図１１に示す如く、主制御部１３は、シャッタ操作の入力（ステップＳ８）に応答して撮影可否判断処理を成す（ステップＳ９）。撮影可否判断処理では、図１２に示す如く、現在の撮影モードが主制御部１３に設けられた不揮発性メモリ（不図示）から読み出される（ステップＳ１７）。撮影モードは、ＨＤＲ撮影処理及びブラケット撮影処理のＯＮ、ＯＦＦ設定状態を含む撮影条件の設定状態に応じ、単写撮影処理を行う単写モード、ＨＤＲ撮影処理を行うＨＤＲモード、ブラケット撮影処理を行うブラケットモードを含む複数の候補モードの中の何れかとなる。ここでは読み出された撮影モードがＨＤＲモードであると仮定する（撮影モードがＨＤＲモード以外であるときの動作説明を割愛する）。読み出された撮影モードがＨＤＲモードである場合（ステップＳ１８のＹ）、シャッタ速ダイヤル４８及び絞りダイヤル４９のダイヤル位置ＤＰSS及びＤＰAPが取得されて（ステップＳ１９）、それらがオート位置であるかが確認される（ステップＳ２０）。それらの双方がオート位置であれば撮影可能と判断され（ステップＳ２１）、図１１のステップＳ１０を経由してステップＳ１１の撮影処理が実際に実行される。撮影モードがＨＤＲモードである場合、ステップＳ１１で実行される撮影処理はＨＤＲ撮影処理である。ダイヤル位置ＤＰSS及びＤＰAPの内、少なくとも一方がマニュアル位置であった場合（図１２のステップＳ２０のＮ）、撮影不可と判断され（ステップＳ２２）、図１１のステップＳ１０を経由してステップＳ１２にて上述の警告表示５２０（図８参照）が成される。
【００５５】
警告表示５２０が成された後、所定時間（例えば２秒）が経過するまでに復帰操作が成されたとき（ステップＳ１４）、或いは、決定ボタン４４の押下操作を成されることなく該所定時間が経過したとき（ステップＳ１３）、撮影制御処理を終了して撮影待機状態に戻る。一方、警告表示５２０が成された後、所定時間（例えば２秒）が経過するまでに決定ボタン４４の押下操作が成されれば（ステップＳ１５）、ステップＳ１６のメニュー表示処理が成される。
【００５６】
メニュー表示処理（図１３参照）では、まず、現在の撮影モードが上記不揮発性メモリから読み出され（ステップＳ２３）、現在の撮影モードの設定内容を含んだメニューを表示する（ステップＳ２４）。従って、現在の撮影モードがＨＤＲモードならば、ＨＤＲ撮影処理のＯＮ、ＯＦＦを設定するための項目を含むメニューが表示され、現在の撮影モードがブラケットモードならば、ブラケット撮影処理のＯＮ、ＯＦＦを設定するための項目を含むメニューが表示される。必要に応じて、ユーザは項目選択操作３３０（図５参照）により選択される項目を変更することができ、この変更が成されると、新たな選択項目をユーザが認識できるように選択に関する表示を更新する（ステップＳ２８、Ｓ２９）。撮影モードを変更させる何れかの項目を選択した上で、決定ボタン４４の押下操作を含む設定変更操作３３２（図５参照）が成されると（ステップＳ２５）、設定変更操作３３２に応答した撮影モードの更新を行うと共に上記不揮発性メモリに対する該更新後の撮影モードの保存を行って（ステップＳ２６）、撮影待機状態に戻る。例えば、ＨＤＲ撮影処理がＯＮに設定されている状態において、ＨＤＲ撮影処理のＯＮ、ＯＦＦを設定するための項目３５３を選択し、それをＯＦＦに切り替える設定変更操作３３２を成せば、撮影モードはＨＤＲモードから他のモード（単写モードやブラケットモード）に変更される。設定変更操作３３２が成されることなく復帰操作（図５参照）が成されれば（ステップＳ２７）、撮影モードの更新は行われずに撮影待機状態に戻る。
【００５７】
撮影待機状態において情報表示ボタン４２が押下されたときに実行される撮影情報処理（図１０のステップＳ５）の詳細は、図１４に示さている。撮影情報処理では、まず、ステップＳ３０にて現在時刻を開始時刻として取得し、続くステップＳ３１にて、情報表示状態を管理するための撮影情報フラグをリセットする（リセット状態にする）。その後、ステップＳ３２において情報表示ボタン４２の押下状態を確認し、情報表示ボタン４２の押下操作が解除されている場合にはステップＳ３３にて撮影情報フラグの状態を確認する。ステップＳ３３にて、撮影情報フラグの状態がリセット状態であることが確認されると、ステップＳ３４にて、付加的情報／ガイドラインの表示処理を成す。情報表示ボタン４２の通常押下（１秒以内の押下）が成されたときにステップＳ３４に至る。ステップＳ３４の表示処理によって、ボタン４２の通常押下を成すたびに、上記付加的情報の表示がある状態と、上記付加的情報の表示が無い状態と、ガイドラインの表示（表示画面上のグリッド表示）がある状態と、が順番に且つ巡回的に達成される。
【００５８】
ステップＳ３２において情報表示ボタン４２の押下操作の継続が確認されると、ステップＳ３５にて、主制御部１３は現在時刻を取得して（ステップＳ３５）開始時刻から現在時刻までの経過時間を所定時間と比較する（ステップＳ３６）。ここでは、所定時間が１秒であるとする。その経過時間が１秒を超えた場合、ステップＳ３７への移行が発生し、そうでなければステップＳ３２に戻る。ステップＳ３７において、撮影情報フラグがリセット状態である場合、ステップＳ４１にて撮影情報フラグがセット状態に変更されると共に、ステップＳ４２にてステータス表示５３０（図８参照）を成す。その後、情報表示ボタン４２の押下操作の更なる継続是非を判別するために現在時刻を開始時刻として再取得してから（ステップＳ４３）、ステップＳ３２に戻る。
【００５９】
従って、ステップＳ４１〜Ｓ４３を経由してステップＳ３２に戻った場合において、情報表示ボタン４２の押下操作が更に１秒継続した場合には、ステップＳ３５〜Ｓ３７を再度経由してステップＳ３８に至る。ステップＳ３８では、図８のステータス表示５４０又は５５０のような、ステータス表示を成しつつ、選択項目枠ＳＥＬFを用いて何れかの撮影パラメータの項目選択を行う項目選択処理が成される。その処理の中で、何れかの項目を選択して決定ボタン４４が押下されるとステップＳ３９にてメニュー表示処理が成される。ステップＳ３９のメニュー表示処理は、図１３を参照して上述したそれと同様である。但し、ステップＳ３９のメニュー表示処理で表示されるメニューには、図８の表示５５０及び５１０間の遷移の如く、ステップＳ３８の選択項目に対応する項目（選択項目の撮影パラメータを設定及び変更するための項目）が含まれる。ステップＳ３９のメニュー表示処理が終了するとステップＳ４０にて撮影待機状態（基準表示状態）へ戻る。
【００６０】
基準表示状態を起点として、情報表示ボタン４２を１秒以上且つ２秒未満だけ押し続けた場合には、ステップＳ４１〜Ｓ４３を経由した後、ステップＳ３７に至ることなくステップＳ３３を経由してステップＳ４４に至る。ステップＳ４４では、ステップＳ４２のステータス表示（５３０）のタイムアウト判別のために、現在時刻を開始時刻として再取得し、その取得後、２秒経過すると（ステップＳ４５、Ｓ４６）、ステップＳ４７にて撮影待機状態（基準表示状態）へ戻る。また、２秒の経過を待たずとも復帰操作が成されれば直ちに撮影待機状態（基準表示状態）へ戻る。尚、ステップＳ４４〜Ｓ４７間において情報表示ボタン４２の押下操作が確認された場合、ステップＳ３２に戻ることも可能である。
【００６１】
＜＜第３実施例＞＞
第３実施例を説明する。第１実施例で述べた想定の下、基準表示状態においてシャッタ操作が操作部１７に入力されたとき、表示制御部５３は、警告表示５２０の代わりに図１５の警告表示５２０ａを成しても良い。警告表示５２０ａは、第１実施例で述べたものと同様のメッセージ５２１の表示と、ボタン５２３の表示を含む。
【００６２】
ボタン５２３はタッチパネル１５ａ上のボタンであり、警告表示５２０ａが成されている状態においてボタン５２３が押されたとき、表示制御部５３は、表示部１５の表示を警告表示５２０ａからメニュー表示５１０（図８参照）に切り替える。従って、ボタン５２３は、表示部１５に特定のメニューを表示させるためのボタンであると言え、ボタン５２３の表示によってもメッセージ５２２（図８参照）の表示と同様の効果が得られる。警告表示５２０ａは、ボタン５２３の機能を説明するメッセージ（例えば、ボタン５２３を押すことで設定メニューが表示されることを示すメッセージ）の表示も含んでいると良い。
【００６３】
＜＜第４実施例＞＞
第４実施例を説明する。第４実施例では、上述の構成とは異なるが、操作部１７にダイヤル４８及び４９が存在せず、シャッタ速度及び絞り値が、メニュー画面上で設定されることを想定する。即ち、第４実施例では、表示部１５が選択的に表示可能な複数のメニューに図１６のメニュー６１０が含まれており、メニュー６１０には、シャッタ速度を設定するための項目６１１及び絞り値を設定するための項目６１２が含まれる。そして、メニュー６１０の表示時において、ユーザが、項目選択操作３３０を介して項目６１１を選択して設定変更操作３３２を成すことでシャッタ速度を所望速度又はオート速度に変更設定することができると共に、項目選択操作３３０を介して項目６１２を選択して設定変更操作３３２を成すことで絞り値を所望値又はオート値に変更設定することができる。尚、絞り値の設定はＦ値の設定であっても良い。また、項目６１１を含んだメニューと項目６１２を含んだメニューは別々のものであっても良い。以下では、シャッタ速度及び絞り値をオート速度及びオート値に設定することを、シャッタ速度及び絞り値をオートに設定すると表現する。
【００６４】
シャッタ速度がオートに設定されていないとき、撮影画像の取得時のシャッタ速度はユーザが設定したシャッタ速度に従い、絞り値がオートに設定されていないとき、撮影画像の取得時の絞り値はユーザが設定した絞り値に従う。シャッタ速度及び絞り値が共にオートに設定されている場合にのみＨＤＲ撮影処理が可能である。
【００６５】
従って、ＨＤＲ撮影処理にＯＮに設定されており、且つ、シャッタ速度及び絞り値の内の少なくとも一方がオートでない場合において、基準表示状態を起点としてシャッタ操作が操作部１７に入力されると、ＨＤＲ撮影処理は実行されずに、表示制御部５３は、表示部１５の表示を基準表示から図１７（ａ）の警告表示６２０に切り替える。警告表示６２０は、メッセージ６２１及び６２２の表示を含む。メッセージ６２１は、撮影指示を受理するために必要な操作を示し、例えば、メッセージ「シャッタ速度及び絞りの設定をオートにして下さい。」を含む。或いは、図１７（ｂ）に示すメッセージ６２１ａ、即ちメッセージ「ＨＤＲ撮影を行うためシャッタ速度及び絞りの設定をオートにして下さい。或いは、ＨＤＲの設定をＯＦＦにしてください。」をメッセージ６２１に含めても良い。
【００６６】
メッセージ６２２は、表示部１５に特定のメニューを表示させるための操作方法を示す。ここでは、その操作方法は決定ボタン４４を押すことであるとする。そうすると、メッセージ６２２は、例えば、メッセージ「決定ボタンで設定メニューへ」を含む。警告表示６２０を成してから所定時間（例えば２秒）以内に決定ボタン４４の押下操作が成さたとき、表示制御部５３は、表示部１５の表示を警告表示６２０からメニュー表示６１０に切り替え、そうでなければ表示部１５の表示を警告表示６２０から基準表示に戻す。警告表示６２０からメニュー表示６１０への直接遷移を可能にしておくことで第１実施例と同様の効果が得られる。
【００６７】
或いは、第３実施例で述べたのと同様に、警告表示６２０を成す際、タッチパネル１５ａ上のボタン５２３（図１５参照）を表示させ、そのボタンが押されたときに、表示制御部５３は、表示部１５の表示を警告表示６２０からメニュー表示６１０に切り替えてもよい。
【００６８】
或いは、警告表示６２０に、図１７（ｂ）のメッセージ６２１ａの表示を含めると共に、メッセージ「決定ボタンでシャッタ速度／絞り値の設定メニューへ、情報表示ボタンでＨＤＲの設定メニューへ」の表示、又は、タッチパネル１５ａ上の第１ボタン及び第２ボタン（不図示）の表示を含めておいても良い。この場合において、警告表示６２０を成してから所定時間以内に決定ボタン４４又は上記第１ボタンの押下操作が成さたとき、表示制御部５３は、表示部１５の表示を警告表示６２０からメニュー表示６１０（図１６参照）に切り替え、警告表示６２０を成してから所定時間以内に情報表示ボタン４２又は上記第２ボタンの押下操作が成さたとき、表示制御部５３は、表示部１５の表示を警告表示６２０からメニュー表示５１０（図８参照）に切り替えると良い。
【００６９】
＜＜第５実施例＞＞
第５実施例を説明する。第５実施例では、図８を参照し、第１実施例の変形技術を説明する。上述のステータス表示において、マークＭＫPRに対応する撮影処理（図８の例においてＨＤＲ撮影処理）は、現在の撮影モードで実行される撮影処理を指している（マークＭＫPRは現在の撮影モードを指し示しているとも言える）。ステータス表示５３０の後、更に操作５７２を成すユーザは、撮影モードの変更を望んでいる可能性が相応に高い。故に、ステータス表示５３０の後、操作５７２が操作部１７に入力されたとき、表示制御部５３は、ステータス表示５３０をステータス表示５４０ではなくステータス表示５５０に切り替えても良い（即ち、選択ボタン４３に対する入力操作を待たずに、選択項目枠ＳＥＬFを現在の撮影モードに対応するＨＤＲ撮影処理の項目に合わせてもよい）。これにより、操作５７２の後、決定ボタン４４を押すだけでメニュー５１０が表示されるため、操作性に関するユーザの満足度が高まる。
【００７０】
＜＜第６実施例＞＞
第６実施例を説明する。撮像装置１において、操作部１７及びタッチパネル１５ａの少なくとも一方は、ユーザから各種操作の入力を受ける操作入力部を形成している。図１８に示す如く、表示制御部５３には、第１制御部（第１表示制御部）８１と第２制御部（第２表示制御部）８２が設けられていると考えることができる。制御部８１は、表示部１５にて基準表示が成されている状態を基準として操作入力部に所定のメニュー用操作が入力されたとき、複数のメニューの内の何れかを表示部１５に表示する。制御部８２は、所定条件下、操作入力部への所定操作（例えば、シャッタ操作又は情報表示ボタン４２の押下操作）の入力に応答して基準表示と異なる特定表示（警告表示又はステータス表示）を表示部１５に成し、特定表示が成された第２表示状態においてメニュー用操作と異なる特定操作（例えば決定ボタン４４の押下操作を含む）が操作入力部に入力されたとき、特定メニューを表示部１５に表示する。
【００７１】
また、撮影条件の設定状態（例えば、ダイヤル位置ＤＰSS及びＤＰAPがオート位置であるか否か、ＨＤＲ撮影処理がＯＮであるか否か）に基づき、操作入力部を介して入力された指示を受理可能か否かを判断する判断部８３が、主制御部１３に設けられていると考えることができる。判断部８３は、撮影制御部５２の一部であっても良い。上記指示の例は、シャッタ操作による撮影指示であるが、本発明において上記指示は撮影指示に限定されない。撮影条件を形成する第１及び第２撮影パラメータの関係が所定関係にあるとき上記指示を受理不可であることが予め撮像装置１において規定されており、判断部８３は、その規定に従って上記判断を行うことができる。制御部８２は、上記指示を受理不可であるときに特定表示としての警告表示を成し、その状態での特定操作の入力に応答して、受理不可の原因となった撮影パラメータを変更するための項目（例えば、３５３、６１１又は６１２）を含む特定メニュー（例えば５１０又は６１０）を表示する。受理不可の原因となった撮影パラメータは、判断部８３が操作入力部を介して入力された指示を受理可能か否かを判断する際に参照する撮影パラメータの一種である。
【００７２】
上述の例において、第１撮影パラメータはシャッタ速度及び絞り値の少なくとも一方に相当し、第２撮影パラメータはＨＤＲ撮影処理のＯＮ又はＯＦＦに相当する。勿論、これ以外でも良く、例えば、ホワイトバランスが第１撮影パラメータに相当し且つブラケット撮影処理のＯＮ又はＯＦＦが第２撮影パラメータに相当すると考えても良い。但し、ここにおけるブラケット撮影処理は、ホワイトバランス状態が互いに異なる複数の静止画像を撮影するブラケット撮影処理であるとする。この場合例えば、ホワイトバランスの設定がオートでなければ、ブラケット撮影処理がＯＮのときにおける撮影指示は受理不可と判断される。
【００７３】
また、制御部８２は、複数の撮影パラメータの表示を含むステータス表示を特定表示として成すこともでき、ステータス表示を成している状態での特定操作の入力に応答して、特定メニュー（例えば５１０）を表示することもできる。また、制御部８２は、マークＭＫPRの表示を成すこともできる。
【００７４】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈４を記す。各注釈に記載した内容は、矛盾なき限り、任意に組み合わせることが可能である。
【００７５】
［注釈１］
ＨＤＲ撮影処理とブラケット撮影処理の間の優先関係は、上述したものの逆であっても良い。即ち、ＨＤＲ撮影処理及びブラケット撮影処理が共にＯＮに設定されているとき、シャッタ操作の入力に応答してブラケット撮影処理が実行されても良い。
【００７６】
［注釈２］
ＨＤＲ撮影処理とブラケット撮影処理の間の優先関係についてのみ議論したが、そのような優先関係は、２以上の他の撮影パラメータ間にも存在しうる。例えば、ＨＤＲ撮影処理及び連写処理が共にＯＮに設定されているとき、シャッタ操作の入力に応答してＨＤＲ撮影処理及び連写処理のどちらか一方が優先して実行される（ブラケット撮影処理及び連写処理のペアについても同様）。このような場合にも、ステータス表示において、優先される処理がどれであるのかを指し示しておくと良い。
【００７７】
［注釈３］
撮像装置１は、任意の機器（携帯電話機や情報端末装置）に搭載されるものであっても良い。
【００７８】
［注釈４］
図１の撮像装置１を、ハードウェア、或いは、ハードウェアとソフトウェアの組み合わせによって構成することができる。撮像装置１にて実現される機能の内、任意の特定の機能をプログラムとして記述しておいても良い。具体的には例えば、主制御部１３にＣＰＵ（Central Processing Unit）を設けておき、図示されないフラッシュメモリに格納されたプログラムを当該ＣＰＵに実行させることで、上記特定の機能を実現させても良い。図１の構成においては、例えば、信号処理部５１、撮影制御部５２及び表示制御部５３の全部又は一部をソフトウェアを用いて構成することができ、それ以外の部位をハードウェアを用いて構成することができる。
【符号の説明】
【００７９】
１  撮像装置
１１  撮像部
１５  表示部
１７  操作部
５２  撮影制御部
５３  表示制御部
【図１】
2013219440.tif 000003
【図２】
2013219440.tif 000004
【図３】
2013219440.tif 000005
【図４】
2013219440.tif 000006
【図７】
2013219440.tif 000007
【図９】
2013219440.tif 000008
【図１０】
2013219440.tif 000009
【図１１】
2013219440.tif 000010
【図１２】
2013219440.tif 000011
【図１３】
2013219440.tif 000012
【図１４】
2013219440.tif 000013
【図１５】
2013219440.tif 000014
【図１６】
2013219440.tif 000015
【図１７】
2013219440.tif 000016
【図１８】
2013219440.tif 000017
【図５】
2013219440.tif 000018
【図６】
2013219440.tif 000019
【図８】
2013219440.tif 000020